【手続補正書】
【提出日】令和1年5月8日(2019.5.8)
【手続補正１】
【補正対象書類名】特許請求の範囲
【補正対象項目名】全文
【補正方法】変更
【補正の内容】
【特許請求の範囲】
【請求項１】
撮像光学系に着脱可能なアタッチメント光学系であって、
光軸に関して回転方向に形成された複数の凹部と凸部を含む非球面形状の第１非球面が形成された第１レンズと、
前記光軸に関して回転方向に形成された複数の凹部と凸部を含む非球面形状の第２非球面が形成された第２レンズと、を有し、
前記第１レンズと前記第２レンズとを相対的に光軸回りに回転させることにより、前記撮像光学系の光軸を含む第１領域における前記第１非球面と前記第２非球面との光軸方向の距離は変化せず、該第１領域とは異なる第２領域における前記第１非球面と前記第２非球面との光軸方向の距離は変化することを特徴とするアタッチメント光学系。
【請求項２】
撮像光学系に着脱可能なアタッチメント光学系であって、
光軸に関して回転方向に形成された複数の凹部と凸部を含む非球面形状の第１非球面が形成された第１レンズと、
前記光軸に関して回転方向に形成された複数の凹部と凸部を含む非球面形状の第２非球面が形成された第２レンズと、を有し、
前記第１レンズと前記第２レンズとを相対的に光軸回りに回転させることにより、前記撮像光学系の像面湾曲が変化することを特徴とするアタッチメント光学系。
【請求項３】
前記第１レンズと前記第２レンズとを相対的に前記光軸回りに回転させることにより、第１領域における前記第１非球面と前記第２非球面との光軸方向の距離は変化せず、該第１領域とは異なる第２領域における前記第１非球面と前記第２非球面との光軸方向の距離は変化することを特徴とする請求項２に記載のアタッチメント光学系。
【請求項４】
前記第１領域は、前記光軸を含む領域であり、
前記第２領域は、前記第１領域よりも前記光軸から離れた領域であることを特徴とする請求項３に記載のアタッチメント光学系。
【請求項５】
前記第１レンズおよび前記第２レンズは、前記第１非球面と前記第２非球面とが互いに対向するように配置されていることを特徴とする請求項１乃至４のいずれか１項に記載のアタッチメント光学系。
【請求項６】
前記第１非球面および前記第２非球面はそれぞれ、前記第１領域において平面または球面形状であることを特徴とする請求項５に記載のアタッチメント光学系。
【請求項７】
前記第１非球面および前記第２非球面のそれぞれの中心部は、前記光軸に対して垂直であることを特徴とする請求項１乃至６のいずれか１項に記載のアタッチメント光学系。
【請求項８】
前記第１非球面および前記第２非球面は、前記光軸回りに回転させて得られる所定の位相において、互いに同一の形状となることを特徴とする請求項１乃至７のいずれか１項に記載のアタッチメント光学系。
【請求項９】
前記第１レンズおよび前記第２レンズは、前記光軸に関して垂直方向に一体的に移動することが可能であることを特徴とする請求項１乃至８のいずれか１項に記載のアタッチメント光学系。
【請求項１０】
前記第１非球面および前記第２非球面において、前記凸部および前記凹部が、回転方向に沿って所定の周期で繰り返し配列されていることを特徴とする請求項１乃至９のいずれか１項に記載のアタッチメント光学系。
【請求項１１】
前記第１非球面の同一径位置における前記凸部と前記凹部の高さの差分の最大値をΔＫ１、前記第１レンズの物体側のレンズ面と前記第２レンズの像側のレンズ面の光軸上の距離をＤＡとするとき、
０．０１０＜｜ΔＫ１／ＤＡ｜＜１．０００
を満たすことを特徴とする請求項１０に記載のアタッチメント光学系。
【請求項１２】
前記第２非球面の同一径位置における前記凸部と前記凹部の高さの差分の最大値をΔＫ２、前記第１レンズの物体側のレンズ面と前記第２レンズの像側のレンズ面の光軸上の距離をＤＡとするとき、
０．０１０＜｜ΔＫ２／ＤＡ｜＜１．０００
を満たすことを特徴とする請求項１０または１１に記載のアタッチメント光学系。
【請求項１３】
前記凸部および前記凹部の組み合わせを１つのユニットとして、前記第１非球面に含まれる前記凸部と前記凹部の組み合わせからなるユニットの数Ｋ１は、
３≦Ｋ１≦１０
を満たすことを特徴とする請求項１０乃至１２のいずれか１項に記載のアタッチメント光学系。
【請求項１４】
前記凸部および前記凹部の組み合わせを１つのユニットとして、前記第２非球面に含まれる前記凸部と前記凹部の組み合わせからなるユニットの数Ｋ２は、
３≦Ｋ２≦１０
を満たすことを特徴とする請求項１０乃至１３のいずれか１項に記載のアタッチメント光学系。
【請求項１５】
前記第１非球面におけるサグ量の最大値をΔＨ１、前記第１レンズの物体側のレンズ面と前記第２レンズの像側のレンズ面の光軸上の距離をＤＡとするとき、
０．００５＜｜ΔＨ１／ＤＡ｜＜０．５００
を満たすことを特徴とする請求項１乃至１４のいずれか１項に記載のアタッチメント光学系。
【請求項１６】
前記第２非球面におけるサグ量の最大値をΔＨ２、前記第１レンズの物体側のレンズ面と前記第２レンズの像側のレンズ面の光軸上の距離をＤＡとするとき、
０．００５＜｜ΔＨ２／ＤＡ｜＜０．５００
を満たすことを特徴とする請求項１乃至１５のいずれか１項に記載のアタッチメント光学系。
【請求項１７】
前記第１非球面と前記第２非球面との間の光軸上の距離をＤ、前記第１レンズの物体側のレンズ面と前記第２レンズの像側のレンズ面の光軸上の距離をＤＡとするとき、
０．０２０＜｜Ｄ／ＤＡ｜＜１．０００
を満たすことを特徴とする請求項１乃至１６のいずれか１項に記載のアタッチメント光学系。
【請求項１８】
前記第１レンズの物体側のレンズ面と前記第２レンズの像側のレンズ面の光軸上の距離をＤＡ、該第１レンズおよび該第２レンズの合成焦点距離をｆＡとするとき、
｜ＤＡ／ｆＡ｜＜０．０２０
を満たすことを特徴とする請求項１乃至１７のいずれか１項に記載のアタッチメント光学系。
【請求項１９】
前記光軸からの径方向の高さｈにおける前記第１非球面の最大非球面量をＫ１ｈ、前記高さｈにおける前記第２非球面の最大非球面量をＫ２ｈとするとき、
０．８＜｜Ｋ２ｈ｜／｜Ｋ１ｈ｜＜３．０
を満たすことを特徴とする請求項１乃至１８のいずれか１項に記載のアタッチメント光学系。
【請求項２０】
光軸に関して回転方向に形成された複数の凹部と凸部を含む非球面形状の第１非球面が形成された第１レンズと、
前記光軸に関して回転方向に形成された複数の凹部と凸部を含む非球面形状の第２非球面が形成された第２レンズと、を有する撮像光学系であって、
前記第１レンズと前記第２レンズとを相対的に光軸回りに回転させることにより、前記撮像光学系の光軸を含む第１領域における前記第１非球面と前記第２非球面との光軸方向の距離は変化せず、該第１領域とは異なる第２領域における前記第１非球面と前記第２非球面との光軸方向の距離は変化することを特徴とする撮像光学系。
【請求項２１】
光軸に関して回転方向に形成された複数の凹部と凸部を含む非球面形状の第１非球面が形成された第１レンズと、
前記光軸に関して回転方向に形成された複数の凹部と凸部を含む非球面形状の第２非球面が形成された第２レンズと、を有する撮像光学系であって、
前記第１レンズと前記第２レンズとを相対的に光軸回りに回転させることにより、前記撮像光学系の像面湾曲が変化することを特徴とすることを特徴とする撮像光学系。
【請求項２２】
前記第１レンズおよび前記第２レンズは、前記第１非球面と前記第２非球面とが互いに対向するように配置されていることを特徴とする請求項２０または２１に記載の撮像光学系。
【請求項２３】
前記第１レンズおよび前記第２レンズの一方は、前記撮像光学系の最も物体側に配置されていることを特徴とする請求項２０乃至２２のいずれか１項に記載の撮像光学系。
【請求項２４】
前記第１レンズおよび前記第２レンズの一方は、前記撮像光学系の最も像面側に配置されていることを特徴とする請求項２０乃至２２のいずれか１項に記載の撮像光学系。
【請求項２５】
開口絞りを更に有し、
前記第１レンズおよび前記第２レンズの一方は、前記開口絞りに隣接して配置されていることを特徴とする請求項２０乃至２２のいずれか１項に記載の撮像光学系。
【請求項２６】
フォーカシングに際して前記光軸方向に移動するフォーカス群をさらに有することを特徴とする請求項２０乃至２５のいずれか１項に記載の撮像光学系。
【請求項２７】
請求項２０乃至２６のいずれか１項に記載の撮像光学系と、
前記撮像光学系を介して形成された光学像を受光する撮像素子と、を有することを特徴とする撮像装置。
【手続補正２】
【補正対象書類名】明細書
【補正対象項目名】０００６
【補正方法】変更
【補正の内容】
【０００６】
本発明の一側面としてのアタッチメント光学系は、撮像光学系に着脱可能なアタッチメント光学系であって、光軸に関して回転方向に形成された複数の凹部と凸部を含む非球面形状の第１非球面が形成された第１レンズと、前記光軸に関して回転方向に形成された複数の凹部と凸部を含む非球面形状の第２非球面が形成された第２レンズと、を有し、前記第１レンズと前記第２レンズとを相対的に光軸回りに回転させることにより、前記撮像光学系の光軸を含む第１領域における前記第１非球面と前記第２非球面との光軸方向の距離は変化せず、該第１領域とは異なる第２領域における前記第１非球面と前記第２非球面との光軸方向の距離は変化することを特徴とする。
【手続補正３】
【補正対象書類名】明細書
【補正対象項目名】０００７
【補正方法】変更
【補正の内容】
【０００７】
本発明の他の側面としての撮像光学系は、光軸に関して回転方向に形成された複数の凹部と凸部を含む非球面形状の第１非球面が形成された第１レンズと、前記光軸に関して回転方向に形成された複数の凹部と凸部を含む非球面形状の第２非球面が形成された第２レンズと、を有し、前記第１レンズと前記第２レンズとを相対的に光軸回りに回転させることにより、前記撮像光学系の光軸を含む第１領域における前記第１非球面と前記第２非球面との光軸方向の距離は変化せず、該第１領域とは異なる第２領域における前記第１非球面と前記第２非球面との光軸方向の距離は変化することを特徴とする。